(57)【特許請求の範囲】
【請求項１】
２０ｎｍ〜１００μｍの平均サイズを有する複合酸化物ＣＯ１のコアと、１ｎｍ〜６μｍの厚さを有する複合酸化物ＣＯ２の少なくとも部分コーティングと、０．１ｎｍ〜１００ｎｍの厚さを有する炭素の接着的表面付着物と、を有する粒子で構成される正極材料であって、
複合酸化物ＣＯ１は、２．５Ｖより高い電位を有するＬｉＭｎＰＯ４［式中、ＭｎはＣｏ及び／又はＮｉによって部分置換されていてもよい］であり、
酸化物ＣＯ２は、ＬｉＦｅＢＯ３、ＬｉｚＭ３（１−ｂ）Ｍ４ｂＸ’Ｏ４及びＬｉｘ［（Ｍ３（１−ｃ）Ｍ４ｃ）２（Ｘ”Ｏ４）３］から選ばれ、ここで、Ｍ３は、Ｆｅ、Ｍｏ、Ｐｔ及びＰｄから選ばれる少なくとも一つの元素を表し、Ｍ４は、Ｍ３以外の遷移金属を表し、０≦ｂ≦０．５、０≦ｃ≦０．５、０＜ｘ≦３、０＜ｚ≦２、Ｘ’又はＸ”は、Ｐ、Ｓｉ、Ｓ、Ｖ、Ｔｉ及びＧｅから選ばれる少なくとも一つの元素を表す、上記材料。
【請求項２】
Ｍ３がＦｅである、請求項１に記載の材料。
【請求項３】
酸化物ＣＯ２が、ＬｉＦｅＰＯ４、ＬｉＦｅＶＯ４、Ｌｉ２ＦｅＳｉＯ４、ＬｉＦｅＴｉＯ４及びＬｉ２ＦｅＧｅＯ４から選ばれる、請求項１または２に記載の材料。
【請求項４】
酸化物ＣＯ２が、ＬｉＦｅＰＯ４である、請求項１〜３のいずれかに記載の材料。
【請求項５】
酸化物ＣＯ２が、オリビン構造を有する、請求項１〜４のいずれかに記載の材料。
【請求項６】
酸化物ＣＯ２が、オリビン構造を有するＬｉＦｅＰＯ４である、請求項１〜５のいずれかに記載の材料。
【請求項７】
集電体上に堆積された複合材料で構成される電極であって、
前記複合材料が、活物質として請求項１〜６のいずれかに記載の材料を含む、上記電極。
【請求項８】
集電体が、アルミニウム、チタン及びステンレススチールから選ばれる、酸化に対して安定な金属である、請求項７に記載の電極。
【請求項９】
複合材料が、少なくとも６０重量％の活物質、バインダ及び／又は電子伝導をもたらす添加剤を含む、請求項７に記載の電極。
【請求項１０】
正極、負極及び電解質を含む電池であって、
正極は、請求項７〜９のいずれかに記載の電極であり、負極は、リチウム又は金属間リチウム合金のシート、又はリチウムイオンを可逆的に挿入できる材料であり、電解質は、溶媒に溶解した少なくとも一つのリチウム塩を含む、上記電池。
【請求項１１】
前記溶媒が、ポリマーの添加によってゲル化されていてもよい極性非プロトン性液体溶媒、及び、非プロトン性液体溶媒によって可塑化されていてもよい溶媒和ポリマー、から選ばれる、請求項１０に記載の電池。
【発明の詳細な説明】
【技術分野】
【０００１】
本発明は、無機酸化物の複合粒子で構成される材料、その製造法、及び電極活物質とし
てのその使用に関する。
【背景技術】
【０００２】
リチウム電池は、液体溶媒中溶液、ポリマー又はゲル中にリチウム塩を含む電解質を通
じて、負極と正極間のリチウムイオンの可逆的移動によって動作する。
負極は、一般的に、リチウムシート、リチウム合金又はリチウムを含む金属間化合物で
構成されている。負極は、リチウムイオンを可逆的に挿入（インサート）できる材料、例
えばグラファイト又は酸化物などの材料で構成することもできる。前記挿入材料は、単独
で使用されるか又は少なくとも一つのバインダ及び電子伝導をもたらす一つの物質、例え
ば炭素を追加的に含む複合材料の形態で使用される。
【０００３】
様々な複合酸化物が、リチウムイオンの可逆的挿入のための物質として働く正極用活物
質として研究されている。特に、オリビン（かんらん石）構造を有し、式ＬｉＭＸＯ４に
対応する化合物、式Ｌｉ２ＭＸＯ４に対応する化合物（式中、Ｍは少なくとも一つの遷移
金属を表し、ＸはＳ、Ｐ、Ｓｉ、Ｂ及びＧｅから選ばれる元素を表す（例えばＬｉ２Ｆｅ
ＳｉＯ４））、及び式ＬｉｘＭ２（ＸＯ４）３に対応し、菱面体晶構造を有するナシコン
(Nasicon)型の化合物（式中、Ｍは少なくとも一つの遷移金属を表し、ＸはＳ、Ｐ、Ｓｉ
、Ｂ及びＧｅから選ばれる少なくとも一つの元素を表す）が挙げられる。これらの複合酸
化物は、一般的にナノメートル又はマイクロメートル粒子の形態で使用される。所望によ
り炭素で被覆及び／又は炭素結合を介して互いに結合されていてもよい。炭素の存在は、
特にそれが複合酸化物上に付着された層の形態である場合、電気化学的性能を改良する。
【０００４】
これらの酸化物の中で、ＭがＦｅ、Ｍｎ又はＣｏを表しているものが、特にそれらのい
くつかの電気化学的性質のため及び該金属の高い入手可能性によるそれらの比較的低コス
トのために好都合である。しかしながら、それらは多少の不利益も示す。Ｍが本質的にＦ
ｅである酸化物ＬｉＭＸＯ４（特にＬｉＦｅＰＯ４）は、それが炭素で被覆された粒子の
形態の場合、良好な電子伝導性を有し、電極材料として使用される。それは、炭素の接着
層で被覆された粒子の形態で容易に得ることができるが、比較的低電圧（およそ３．４Ｖ
vs  Ｌｉ／Ｌｉ＋）のためにエネルギー密度が低い。Ｍが本質的にＭｎ及び／又はＣｏ
及び／又はＮｉである酸化物ＬｉＭＸＯ４（特にＬｉＭｎＰＯ４、ＬｉＣｏＰＯ４及びＬ
ｉＮｉＰＯ４）は、顕著に高い動作電圧（それぞれ、およそ４．１Ｖ、４．８Ｖ及び５．
１Ｖ）を有し、従って高いエネルギー密度を有するが、炭素の接着層で被覆された粒子の
形態でそれらを得ることが難しく、電子伝導性が比較的低い。
【０００５】
そこで、酸化物ＬｉＭＰＯ４のコアと炭素のコーティングを有する粒子の使用が構想さ
れた（ＭはＭｎによって部分的に置換されたＦｅを表す）。しかしながら、電位の低い（
３．５Ｖ）ＬｉＦｅＰＯ４の存在は、ＬｉＭｎＰＯ４単独の使用と比べてエネルギー密度
の低下をもたらす。ＬｉＦｅＰＯ４の含有量を２０重量％未満の値に制限すると、カソー
ドの電圧はＬｉＭｎＰＯ４の電圧（４．１Ｖ）によって支配され、エネルギー密度の低下
が制限される。固溶体である化合物ＬｉＦｅ（１−ｘ）ＭｎｘＰＯ４は、ｘが０．６未満
にとどまると、すなわち化合物ＬｉＦｅＰＯ４が支配的であると、容認可能な結果をもた
らす（Ｙａｍａｄａ，Ｊ．Ｐｏｗｅｒ  Ｓｏｕｒｃｅｓ，Ｖｏｌｕｍｅ  １８９，Ｉｓｓ
ｕｅ  ２，１５  Ａｐｒｉｌ  ２００９，１１５４−１１６３ページ参照）。しかしなが
ら、Ｆｅに対しＭｎの寄与を増大するのは不可能である。
【発明の概要】
【０００６】
本発明の目的は、リチウム電池で正極活物質として使用された場合に良好な性能、特に
高エネルギー密度及び良好な電子及びイオン伝導性を有する電極材料を提供することであ
る。
【０００７】
発明者らは、複合酸化物上に付着された炭素の層は、酸化物の金属が炭素の付着をもた
らす反応に対して触媒効果を発揮すると、容易に得られることを見出した。発明者らはま
た、驚くべきことに、高エネルギー密度を有する複合酸化物の粒子表面の少なくとも一部
に金属の酸化物の層を付着させると、前記金属が炭素の付着をもたらす前記反応に対して
触媒効果を有する場合、動作電位を実質的に低減することなく、炭素の接着的付着が得ら
れることも見出した。これにより、エネルギー密度を低減することなく電子伝導性を増大
することが可能になる。
【０００８】
従って、本発明の一側面に従って、複合酸化物ＣＯ１のコアと、複合酸化物ＣＯ２の少
なくとも部分コーティングと、そして炭素の接着的表面付着物とを有する粒子で構成され
る正極材料を提供する。前記材料は、複合酸化物ＣＯ１は高エネルギー密度を有する酸化
物であること、及び酸化物ＣＯ２は炭素の付着反応に対して触媒効果を有する金属の酸化
物であり、前記酸化物は良好な電子伝導性を有することを特徴とする。ＣＯ２層の存在は
、一方では酸化物粒子の表面への炭素の接着層の付着を容易にし、他方ではそれが電極材
料として使用される場合、該材料の伝導性を改良するという効果を有する。
【０００９】
本発明の別の側面に従って、前記電極材料の製造法を提供する。
本発明の別の側面は、複合電極（その活物質は本発明の材料である）、及びリチウム電池（その正極は本発明による前記電極材料を含む）に関する。
（１）  複合酸化物ＣＯ１のコアと、複合酸化物ＣＯ２の少なくとも部分コーティングと、そして炭素の接着的表面付着物とを有する粒子で構成される正極材料であって、前記材料は、−複合酸化物ＣＯ１は２．５Ｖより高い電位を有し、アルカリ金属と、Ｍｎ、Ｃｏ、Ｇｅ、Ａｕ、Ａｇ及びＣｕから選ばれる少なくとも一つの元素の酸化物から選ばれ、−酸化物ＣＯ２は、アルカリ金属と、炭素の付着反応に対して触媒効果を有する、Ｆｅ、Ｍｏ、Ｎｉ、Ｐｔ及びＰｄから選ばれる少なくとも一つの金属の酸化物であることを特徴とする正極材料。
（２）  アルカリ金属Ａが、Ｌｉ、Ｎａ及びＫから選ばれることを特徴とする、（１）に記載の材料。
（３）  アルカリ金属がＣＯ１とＣＯ２で同じであることを特徴とする、（２）に記載の材料。
（４）  酸化物ＣＯ１が、酸化物ＡｚＭ１（１−ａ）Ｍ２ａＸＯ４（式中、Ｍ１は、Ｍｎ、Ｃｏ、Ｃｕ及びＧｅから選ばれる少なくとも一つの元素を表し、Ｍ２は、Ｍｎ及びＣｏ以外の遷移金属を表し、０≦ａ≦０．５、０≦ｚ≦２、及びＸは、Ｐ、Ｓｉ、Ｖ及びＴｉから選ばれる元素を表す）であることを特徴とする、（１）に記載の材料。
（５）  酸化物ＣＯ１が、ＬｉＭｎＰＯ４（式中、ＭｎはＣｏ及び／又はＮｉによって部分置換されていてもよい）であることを特徴とする、（４）に記載の材料。
（６）  酸化物ＣＯ２が、−ＬｉＦｅＢＯ３；−酸化物ＡｚＭ３（１−ｂ）Ｍ４ｂＸ’Ｏ４及び酸化物Ａｘ［Ｍ３（１−ｃ）Ｍ４ｃ）２（Ｘ”Ｏ４）３］（式中、Ｍ３は、Ｆｅ、Ｍｏ、Ｐｔ及びＰｄから選ばれる少なくとも一つの元素を表し、Ｍ４は、Ｍ３以外の遷移金属を表し、０≦ｂ≦０．５、０≦ｃ≦０．５、０≦ｘ≦３、０≦ｚ≦２、及びＸ’又はＸ”は、Ｐ、Ｓｉ、Ｓ、Ｖ、Ｔｉ及びＧｅから選ばれる少なくとも一つの元素を表す）から選ばれることを特徴とする、（１）に記載の材料。
（７）  酸化物ＣＯ２が、ＬｉＦｅＰＯ４、ＬｉＦｅＶＯ４、Ｌｉ２ＦｅＳｉＯ４、ＬｉＦｅＴｉＯ４及びＬｉ２ＦｅＧｅＯ４から選ばれることを特徴とする、（６）に記載の材料。
（８）  酸化物ＣＯ１のコアが２０ｎｍ〜１００μｍの平均サイズを有し、酸化物ＣＯ２の層が１ｎｍ〜６μｍの厚さを有し、炭素付着物が０．１ｎｍ〜１００ｎｍの厚さを有することを特徴とする、（１）に記載の材料。
（９）  （１）に記載の材料の製造法であって、下記段階：ａ）酸化物ＣＯ１の粒子をその前駆体から製造；ｂ）酸化物ＣＯ１の粒子を酸化物ＣＯ２の前駆体の溶液に導入し、酸化物ＣＯ２の前駆体の反応を引き起こすために熱処理を実施；ｃ）酸化物ＣＯ２のコーティングを持つ酸化物ＣＯ１の粒子を炭素の有機前駆体と接触させ、有機前駆体が炭素に還元されるように熱処理を実施を含むことを特徴とする方法。
（１０）  段階ａ）におけるＣＯ１粒子の製造が、前駆体を担体液体中に少なくとも部分溶解し、前駆体の反応を引き起こすため及び酸化物ＣＯ１の沈殿を生じさせるために熱処理を適用し、反応媒体を冷却させ、粒子を回収し、それらを洗浄し、そしてそれらを乾燥させることを含む方法によって実施されることを特徴とする、（９）に記載の方法。
（１１）  熱処理が１２０℃〜２５０℃の温度で実施されることを特徴とする、（１０）に記載の方法。
（１２）  段階ｂ）の熱処理が１２０℃〜２５０℃の温度で実施されることを特徴とする、（９）に記載の方法。
（１３）  段階ｃ）が下記方法の一つ：
・  炭化水素及びそれらの誘導体、多価化合物及びポリマーから選ばれる有機前駆体の熱分解；
・  段階ｂ）から得られた複合粒子を、一つ又は複数の炭素−ハロゲン結合を有する化合物と接触させ、前記化合物を４００℃未満の低又は中等度の温度で還元する；
・  段階ｂ）から得られた複合粒子を、一つ又は複数の−ＣＨ−ＣＹ−結合を有する化合物と接触させ、反応スキーム  −ＣＨ−ＣＹ−  ＋  Ｂ  →  −Ｃ＝Ｃ−  ＋  ＢＨＹ（式中、Ｙはハロゲン又は擬ハロゲンを表し、Ｂは塩基を表す）に従って、低温反応によって水素化化合物ＨＹを除去する、
に従って実施されることを特徴とする、（９）に記載の方法。
（１４）  集電体上に堆積された複合材料で構成される電極であって、前記複合材料は活物質として（１）に記載の材料を含むことを特徴とする電極。
（１５）  集電体が、アルミニウム、チタン及びステンレススチールから選ばれる、酸化に対して安定な金属であることを特徴とする、（１４）に記載の電極。
（１６）  複合材料が、少なくとも６０重量％の活物質、バインダ及び／又は電子伝導をもたらす添加剤を含むことを特徴とする、（１４）に記載の電極。
（１７）  正極、負極及び電解質を含む電池であって、正極は、（１４）に記載の電極であることを特徴とし、負極は、リチウム又は金属間リチウム合金のシート、又はリチウムイオンを可逆的に挿入できる材料であり、電解質は、所望によりポリマーの添加によってゲル化されていてもよい極性非プロトン性液体溶媒、及び所望により非プロトン性液体溶媒によって可塑化されていてもよい溶媒和ポリマーから選ぶことができる溶媒中溶液に少なくとも一つのリチウム塩を含む電池。
【図面の簡単な説明】
【００１０】
【図１】図１は、実施例１に従って製造されたＬｉＭｎＰＯ４のＸ線回折図を示す。
【図２】図２は、実施例１に従って製造された、ＬｉＦｅＰＯ４で被覆されたＬｉＭｎＰＯ４粒子のＸ線回折図を示す。
【図３】図３は、電極を有する電気化学セルに関し、その活物質は、ＬｉＦｅＰＯ４と酢酸セルロースの熱分解によって付着された炭素層とで被覆されたＬｉＭｎＰＯ４粒子で構成されている。図３は、Ｃ／２４速度で動作中の時間Ｔ（時間）の関数としての電位Ｐ（ボルト）の変化を示す。
【図４】図４は、電極を有する電気化学セルに関し、その活物質は、ＬｉＦｅＰＯ４と酢酸セルロースの熱分解によって付着された炭素層とで被覆されたＬｉＭｎＰＯ４粒子で構成されている。図４は、サイクル数Ｎの関数としての容量のパーセンテージ％Ｃ（□□□で表された曲線）及び放電／充電（Ｄ／Ｃ）比（○○○によって表された曲線）を示す。
【図５】図５は、電極を有する電気化学セルに関し、その活物質は、ＬｉＦｅＰＯ４と酢酸セルロースの熱分解によって付着された炭素層とで被覆されたＬｉＭｎＰＯ４粒子で構成されている。図５は、ラゴン(Ragone）図、すなわち放電速度Ｒの関数としての容量Ｃ（ｍＡｈ／ｇ）の変動を示す。
【図６】図６は、電極を有する電気化学セルに関し、その活物質は、ＬｉＦｅＰＯ４とラクトースの熱分解によって付着された炭素層とで被覆されたＬｉＭｎＰＯ４粒子で構成されている。図６は、Ｃ／２４速度で動作中の時間Ｔ（時間）の関数としての電位Ｐ（ボルト）の変化を示す。
【図７】図７は、電極を有する電気化学セルに関し、その活物質は、ＬｉＦｅＰＯ４とラクトースの熱分解によって付着された炭素層とで被覆されたＬｉＭｎＰＯ４粒子で構成されている。図７は、サイクル数Ｎの関数としての容量のパーセンテージ％Ｃ（□□□で表された曲線）及び放電／充電（Ｄ／Ｃ）比（○○○によって表された曲線）を示す。
【図８】図８は、電極を有する電気化学セルに関し、その活物質は、ＬｉＦｅＰＯ４とラクトースの熱分解によって付着された炭素層とで被覆されたＬｉＭｎＰＯ４粒子で構成されている。図８は、ラゴン図、すなわち放電速度Ｒの関数としての容量Ｃ（ｍＡｈ／ｇ）の変動を示す。
【図９】図９は、化合物ＬｉＭｎ０．６７Ｆｅ０．３３ＰＯ４のＸ線回折図を示す。
【図１０】図１０は、電極を有する電気化学セルに関し、その活物質は、酢酸セルロースの熱分解によって付着された炭素層で被覆されたＬｉＭｎ０．６７Ｆｅ０．３３ＰＯ４粒子で構成されている。図１０は、Ｃ／２４速度で動作中の時間の関数としての電位の変化を示す。
【図１１】図１１は、電極を有する電気化学セルに関し、その活物質は、酢酸セルロースの熱分解によって付着された炭素層で被覆されたＬｉＭｎ０．６７Ｆｅ０．３３ＰＯ４粒子で構成されている。図１１は、ラゴン図、すなわち放電速度Ｒの関数としての容量Ｃ（ｍＡｈ／ｇ）の変動を示す。
【発明を実施するための形態】
【００１１】
本発明の第一主題は、複合酸化物ＣＯ１のコアと、複合酸化物ＣＯ２の少なくとも部分
コーティングと、そして炭素の接着的表面付着物とを有する粒子で構成される正極材料で
あり、前記材料は、
−複合酸化物ＣＯ１は２．５Ｖより高い電位を有し、アルカリ金属と、Ｍｎ、Ｃｏ、Ｇ
ｅ、Ａｕ、Ａｇ及びＣｕから選ばれる少なくとも一つの元素の酸化物から選ばれ、そして
−酸化物ＣＯ２は、アルカリ金属と、炭素の付着反応に対して触媒効果を有する、Ｆｅ
、Ｍｏ、Ｎｉ、Ｐｔ及びＰｄから選ばれる少なくとも一つの金属の酸化物である
ことを特徴とする。
【００１２】
アルカリ金属Ａは、Ｌｉ、Ｎａ及びＫから選ばれるが、Ｌｉが特に好適である。好まし
くは、アルカリ金属は両酸化物で同じである。
酸化物ＣＯ１は、酸化物ＡｚＭ１（１−ａ）Ｍ２ａＸＯ４（式中、Ｍ１は、Ｍｎ、Ｃｏ
、Ｃｕ及びＧｅから選ばれる少なくとも一つの元素を表し、Ｍ２は、Ｍｎ及びＣｏ以外の
遷移金属を表し、０≦ａ≦０．５、０≦ｚ≦２、及びＸは、Ｐ、Ｓｉ、Ｖ及びＴｉから選
ばれる元素を表す）、特に酸化物ＬｉＭｎＰＯ４（式中、ＭｎはＣｏ及び／又はＮｉによ
って部分置換されていてもよい）でありうる。酸化物ＬｉＭｎＰＯ４が特に好適である。
【００１３】
酸化物ＣＯ２は、酸化物ＡｚＭ３（１−ｂ）Ｍ４ｂＸ’Ｏ４又は酸化物Ａｘ［Ｍ３（１
−ｃ）Ｍ４ｃ）２（Ｘ”Ｏ４）３］（式中、Ｍ３は、Ｆｅ、Ｍｏ、Ｐｔ及びＰｄから選ば
れる少なくとも一つの元素を表し、Ｍ４は、Ｍ３以外の遷移金属を表し、０≦ｂ≦０．５
、０≦ｃ≦０．５、０≦ｘ≦３、０≦ｚ≦２、及びＸ’又はＸ”は、Ｐ、Ｓｉ、Ｓ、Ｖ、
Ｔｉ及びＧｅから選ばれる少なくとも一つの元素を表す）でありうる。さらに、酸化物Ｃ
Ｏ２は、酸化物ＬｉＦｅＢＯ３であってもよい。酸化物ＬｉＦｅＰＯ４、ＬｉＦｅＶＯ４
、Ｌｉ２ＦｅＳｉＯ４、ＬｉＦｅＴｉＯ４及びＬｉ２ＦｅＧｅＯ４が酸化物ＣＯ２として
特に好適であり、さらに好適なのはＬｉＦｅＰＯ４である。
【００１４】
本発明による材料はその構成元素の前駆体から製造される。製造法は下記段階を含む。
ａ）酸化物ＣＯ１の粒子をその前駆体から製造；
ｂ）酸化物ＣＯ１の粒子を酸化物ＣＯ２の前駆体の溶液に導入し、酸化物ＣＯ２の前駆体
の反応を引き起こすために熱処理を実施；
ｃ）酸化物ＣＯ２のコーティングを持つ酸化物ＣＯ１の粒子を炭素の有機前駆体と接触さ
せ、有機前駆体が炭素に還元されるように熱処理を実施。
【００１５】
Ｌｉ前駆体は、酸化リチウムＬｉ２Ｏ、水酸化リチウム、炭酸リチウムＬｉ２ＣＯ３、
中性リン酸塩Ｌｉ３ＰＯ４、酸性リン酸塩ＬｉＨ２ＰＯ４、オルトケイ酸リチウム、メタ
ケイ酸リチウム、ポリケイ酸リチウム、硫酸リチウム、シュウ酸リチウム及び酢酸リチウ
ムから選ばれる。いくつかの前駆体を同時に使用することもできる。リチウム前駆体は好
ましくはＬｉ２ＣＯ３である。
【００１６】
鉄前駆体は、酸化鉄（III）、磁鉄鉱Ｆｅ３Ｏ４、リン酸鉄（III）、硝酸鉄（III）、
硫酸鉄（III）、ヒドロキシリン酸鉄リチウム、硫酸鉄（III）及び硝酸鉄（III）から選
ぶことができる。
【００１７】
マンガン前駆体は、二酸化マンガン、硝酸マンガンＭｎ（ＮＯ３）２・４Ｈ２Ｏ及び硫
酸マンガンＭｎＳＯ４・Ｈ２Ｏから選ぶことができる。
Ｎｉ前駆体は、硫酸塩ＮｉＳＯ４・６Ｈ２Ｏ、硝酸塩Ｎｉ（ＮＯ３）２・６Ｈ２Ｏ、酢
酸塩Ｎｉ（ＣＨ３ＣＯＯ）２・４Ｈ２Ｏ、シュウ酸ニッケルＮｉＣ２Ｏ４・２Ｈ２Ｏ及び
リン酸塩Ｎｉ３（ＰＯ４）２・７Ｈ２Ｏから選ぶことができる。
【００１８】
Ｃｏ前駆体は、酸化物Ｃｏ３Ｏ４、硝酸塩Ｃｏ（ＮＯ３）２・６Ｈ２Ｏ、酢酸塩Ｃｏ（
ＣＨ３ＣＯＯ）２・４Ｈ２Ｏ、硫酸コバルト（II）、硝酸コバルト、シュウ酸コバルトＣ
ｏＣ２Ｏ４・２Ｈ２Ｏ及びリン酸塩Ｃｏ３（ＰＯ４）２から選ぶことができる。
【００１９】
五酸化二バナジウムはＶ前駆体として使用することができる。
Ｘ又はＸ’がＰで、Ｌｉ又はＭ前駆体がリン酸塩でない場合、リン酸Ｈ３ＰＯ４又はリ
ン酸水素二アンモニウム（ＮＨ４）２ＨＰＯ４はＰ前駆体として使用できる。
【００２０】
Ｘ又はＸ’がＳの場合、Ｓ前駆体は（ＮＨ４）２ＳＯ４でありうる。
Ｘ又はＸ’がＧｅの場合、Ｇｅ前駆体はゲルマニウム酸テトラアルキルアンモニウムで
ありうる。
【００２１】
有利な態様においては、上記のうち、酸化物のいくつかの構成元素の前駆体である少な
くとも一つの化合物が利用される。
段階ａ）におけるＣＯ１粒子の製造は、先行技術で公知の方法によって実施できる。す
なわち、前駆体を担体液体中に少なくとも部分溶解し、前駆体の反応を引き起こすため及
び酸化物ＣＯ１の沈殿を生じさせるために熱処理を適用し、反応媒体を冷却させ、粒子を
回収し、それらを洗浄し、そしてそれらを乾燥させることを含む。熱処理の温度は１２０
℃〜２５０℃が好都合である。乾燥温度は８０〜１４０℃が好都合である。
【００２２】
段階ｂ）において、熱処理は１２０℃〜２５０℃の温度で都合よく実施され、複合粒子
の回収は、段階ａ）のそれと類似の方法で実施される。
段階ａ）及びｂ）において、前駆体のための担体液体は、都合よくは水、好ましくは脱
塩及び脱気水である。
【００２３】
段階ｃ）は様々な方法で実施できる。
第一の態様によれば、複合酸化物ＣＯ１のコアと複合酸化物ＣＯ２のコーティングを有
する複合粒子上への炭素の付着は、有機前駆体の熱分解によって実施できる。熱分解に付
される有機前駆体は、炭化水素及びそれらの誘導体、特に多環式芳香族物質(entities)、
例えばタール又はピッチ、ペリレン及びその誘導体、多価化合物、例えば糖及び炭水化物
、それらの誘導体、及びポリマーから選ぶことができる。ポリマーの例としては、ポリオ
レフィン、ポリブタジエン、ポリビニルアルコール、フェノールの縮合物（アルデヒドと
の反応から得られるものを含む）、フルフリルアルコールから誘導されたポリマー、スチ
レン、ジビニルベンゼン、ナフタレン、ペリレン、アクリロニトリル及び酢酸ビニルから
誘導されたポリマー、セルロース、デンプン及びそれらのエステル及びエーテル、並びに
それらの混合物が挙げられる。前駆体が水溶性の場合（例えば、グルコース、ラクトース
及びそれらの誘導体）、熱分解は水溶液中の前駆体に対して実施できる。熱分解は一般的
に１００〜１０００℃の温度で実施される。
【００２４】
第二の態様によれば、複合粒子上への炭素の付着は、前記複合粒子を、一つ又は複数の
炭素−ハロゲン結合を有する化合物と接触させ、前記化合物を、反応スキーム  ＣＹ−Ｃ
Ｙ  ＋  ２ｅ−  →  −Ｃ＝Ｃ−  ＋  ２Ｙ−（式中、Ｙはハロゲン又は擬ハロゲンを表
す）に従って還元することによって実施できる。この反応は、４００℃未満の低又は中等
度の温度で実施できる。擬ハロゲンは、Ｙ−イオンの形態で存在でき、対応するプロトン
化化合物ＨＹを形成できる有機又は無機ラジカルを意味すると理解される。ハロゲン及び
擬ハロゲンのうち、特に、Ｆ、Ｃｌ、Ｂｒ、Ｉ、ＣＮ、ＳＣＮ、ＣＮＯ、ＯＨ、Ｎ３、Ｒ
ＣＯ２又はＲＳＯ３（ＲはＨ又は有機ラジカルを表す）が挙げられる。ＣＹ結合の還元に
よる形成は、好ましくは、還元元素、例えば水素、亜鉛、マグネシウム、Ｔｉ３＋、Ｔｉ
２＋、Ｓｍ２＋、Ｃｒ２＋又はＶ２＋イオン、テトラキス（ジアルキルアミノ）−エチレ
ン又はホスフィンの存在下で実施される。還元により炭素を生成できる化合物のうち、特
にポリマーの形態の過ハロカーボン、例えばヘキサクロロブタジエン及びヘキサクロロシ
クロペンタジエンが挙げられる。
【００２５】
第三の態様によれば、複合粒子上への炭素の付着は、前記複合粒子を、一つ又は複数の
−ＣＨ−ＣＹ−結合を有する化合物と接触させ、反応スキーム  −ＣＨ−ＣＹ−  ＋  Ｂ
→  −Ｃ＝Ｃ−  ＋  ＢＨＹ  に従って、低温反応によって水素化化合物ＨＹ（Ｙは上
記定義の通り）を除去することによって実施できる。この態様に使用できる化合物の例と
しては、等数の水素原子及びＹ基を含む有機化合物、例えばハイドロハロカーボン、特に
ポリマー、例えばポリフルオリド、ポリクロリド、ポリブロミド、ポリ酢酸ビニリデン及
び炭水化物が挙げられる。脱（擬）ハロゲン化水素は、周囲温度を含む低温で、ＨＹ化合
物と反応して塩を形成できる塩基の作用によって得ることができる。塩基は、特にアミン
、アミジン、グアニジン又はイミダゾールから選ばれる第三級塩基、又は水酸化アルカリ
から選ばれる無機塩基、及び強塩基として振る舞う有機金属化合物、例えばＡＮ（Ｓｉ（
ＣＨ３）３）２、ＬｉＮ［ＣＨ（ＣＨ３）２］２及びブチルリチウムでありうる。
【００２６】
本発明による材料は、リチウム電池の正極の活物質として特に有用である。正極は、集
電体上に堆積された複合材料で構成される。集電体は、酸化に対して安定な金属で、アル
ミニウム、チタン又はステンレススチールでありうる。複合材料は、少なくとも６０重量
％の本発明による材料、所望により、バインダ及び／又は電子伝導をもたらす添加剤を含
む。バインダは、ポリ（フッ化ビニリデン）又はＰＶＤＦ、ポリ（フッ化ビニリデン−コ
−ヘキサフルオロプロペン）コポリマー又はＰＶＤＦ−ＨＦＰ、ポリ（テトラフルオロエ
チレン）又はＰＴＦＥ、ポリ（エチレン−コ−プロピレン−コ−５−メチレン−２−ノル
ボルネン）（ＥＰＤＭ）、又はポリ（メチルメタクリレート）又はＰＭＭＡであり得、バ
インダは複合材料の最大１５重量％に相当する。電子伝導添加剤は、都合よくは、炭素ベ
ースの材料、特にカーボンブラック、アセチレンブラック及びグラファイトから選ばれ、
それは複合材料の最大２５重量％に相当する。
【００２７】
本発明による電極は電池に使用できる。その負極は、リチウム又は金属間リチウム合金
のシート、又はリチウムイオンを可逆的に挿入できる材料である。電解質は、所望により
ポリマーの添加によってゲル化されていてもよい極性非プロトン性液体溶媒、及び所望に
より非プロトン性液体溶媒によって可塑化されていてもよい溶媒和ポリマー(solvating p
olymers)から選ぶことができる溶媒中溶液に少なくとも一つのリチウム塩を含む。リチウ
ム塩は、リチウムイオンの交換によって動作する電気化学的装置用のイオン伝導材料に従
来使用されている塩から選ぶことができる。例えば、（ＣＦ３ＳＯ２）２ＮＬｉ（ＬｉＴ
ＦＳＩ）、（ＣＦ３ＳＯ２）２ＣＨＬｉ、（ＣＦ３ＳＯ２）３ＣＬｉ、ＣＦ３ＳＯ３Ｌｉ
、ＬｉＣｌＯ４、ＬｉＰＦ６、ＬｉＢＦ４、ＬｉＡｓＦ６、ＬｉＢＯＢ、ＬｉＦＳＩ又は
ＬｉＩが挙げられる。
【００２８】
本発明を実施例の助けを借りながら以下にさらに詳細に説明するが、本発明はそれに限
定されない。
【実施例】
【００２９】
実施例１
ＬｉＦｅＰＯ４で被覆されたＬｉＭｎＰＯ４粒子
ＬｉＭｎＰＯ４粒子の製造
以下は窒素雰囲気下で製造された。
【００３０】
−溶液Ａ、３０ｍｌの脱塩及び脱気水中に４．６２ｇのＬｉＯＨ・Ｈ２Ｏを溶解；
−溶液Ｂ、５０ｍｌの脱塩及び脱気水中に９．２７ｇのＭｎ（ＮＯ３）２・４Ｈ２Ｏを
溶解；
−溶液Ｃ、１０ｍｌの脱塩及び脱気水中に４．０ｇの８５％Ｈ３ＰＯ４水溶液を溶解；
溶液Ｂ及びＣを混合した後、溶液Ａをそれに徐々に加えた。溶液Ａを加えると反応媒体
の粘度が増大するのがわかった。測定された最終ｐＨは６．６である。このようにして得
られた反応媒体中、Ｍｎ濃度は０．４Ｍであり、Ｌｉ／Ｍｎ／Ｐ比は３／１／１である。
【００３１】
その後、反応媒体を、窒素雰囲気下で、加圧できるステンレススチールチャンバに組み
込まれたＰＴＦＥ容器に注ぎ入れ（Ｐａｒｒ社、容積３２５ｍｌ）、その一式(setup)を
２２０℃のオーブンに７時間入れ、次いで周囲温度に冷却した。沈殿粉末をろ過により回
収し、１００ｍｌの蒸留水で３回洗浄した後、窒素雰囲気下９０℃のオーブン中で１２時
間乾燥させた。
【００３２】
全工程を２回繰り返し、ベージュ色粉末の形態の化合物１２ｇをこのようにして得た。
Ｘ線回折図を図１に示す。化合物は斜方晶系構造を示す単相であることを示している。そ
のパラメーターは、ａ＝１０．４３１００Å；ｂ＝６．０９４７０Å；ｃ＝４．７７３６
６０Åである。
【００３３】
ＬｉＦｅＰＯ４によるＬｉＭｎＰＯ４粒子の被覆
以下は窒素雰囲気下で製造された。
−溶液Ｄ、４０ｍｌの脱塩及び脱気水中に３．０８ｇのＬｉＯＨ・Ｈ２Ｏを溶解；
−溶液Ｅ、５０ｍｌの脱塩及び脱気水中に１０．０ｇのＦｅＳＯ４・７Ｈ２Ｏと４．７
５ｇの（ＮＨ４）２ＨＰＯ４を溶解；
溶液Ｄを溶液Ｅに徐々に加えた。上記のように、溶液Ｄを加えると粘度が増大し、測定
された最終ｐＨは１０．３である。このようにして得られたＬｉＦｅＰＯ４前駆体の溶液
中のＬｉ／Ｆｅ／Ｐ比は２／１／１である。
【００３４】
上記手順に従って製造された１０ｇのＬｉＭｎＰＯ４粒子をこの前駆体溶液に導入した
。このようにして得られた反応媒体を、窒素雰囲気下で、加圧できるステンレススチール
チャンバに組み込まれたＰＴＦＥ容器に注ぎ入れ（Ｐａｒｒ社、容積３２５ｍｌ）、その
一式を２２０℃のオーブンに７時間入れ、次いで周囲温度に冷却した。
【００３５】
沈殿した化合物をろ過により回収し、１００ｍｌの蒸留水で３回洗浄した後、窒素雰囲
気下９０℃のオーブン中で１２時間乾燥させた。
ベージュ色粉末の形態の化合物１５．１ｇをこのようにして得た。Ｘ線回折図を図２に
示す。この図において、
−記号◆によって識別されたピークは化合物ＬｉＦｅＰＯ４に対応する；
−記号□によって識別されたピークは化合物ＬｉＭｎＰＯ４に対応する。
【００３６】
従って、得られた化合物は、ＬｉＦｅＰＯ４相及びＬｉＭｎＰＯ４相を含み、どちらも
オリビン構造及び異なる格子パラメーター：
ＬｉＭｎＰＯ４  ａ＝１０．４３１００、ｂ＝６．０９４７０、ｃ＝４．７３６６０
ＬｉＦｅＰＯ４  ａ＝６．０１８９０、ｂ＝１０．３４７００、ｃ＝４．７０３９０
を有する斜方晶相を有することが明白である。
【００３７】
炭素の付着
前段階で得られた化合物を、酢酸セルロースのアセトン／イソプロパノール（１／１）
混合物中溶液に導入した。アセテート／［ＬｉＭｎＰＯ４］ＬｉＦｅＰＯ４比は１／７で
あった。次いで、反応媒体を不活性雰囲気下で、４００℃で１時間の段階とその後の６０
０℃で３時間の段階を含む熱処理に付した。最終材料は灰黒色粉末の形態で得られた。
【００３８】
特徴付け
得られた材料の電気化学的性能の測定を、前記材料がカソードを構成し、アノードがリ
チウム金属であり、電解質がＥＣ／ＤＥＣ  ５０／５０混合物中ＬｉＰＦ６の１Ｍ溶液で
ある電気化学セルにて理論速度Ｃ／２４で実施した。
【００３９】
図３は、理論的には４８時間サイクルに相当するＣ／２４の速度で動作中の、時間の関
数としての電位の変化を示す。図３は、３６時間というサイクル時間を示しているが、こ
れは、全理論的容量が得られるわけではないという事実のせいである。また、Ｆｅに対応
して３．５Ｖで第一のプラトー、Ｍｎに対応して４．０Ｖで第二のプラトーの存在も示さ
れている。電解質の溶媒の劣化を回避するために、電位は４．５Ｖで維持され、それ以上
には上げない。従って、第一充電の容量は９４．９ｍＡｈ／ｇに限定される（理論値１７
０ｍＡｈ／ｇの代わりに）。これは、材料から抽出されたリチウムのレベルｘに相当し、
例えばｘ＝０．５５８となる。
【００４０】
図４は、容量のパーセンテージ（左側の縦座標）及び放電／充電（Ｄ／Ｃ）比（右側の
縦座標）を、サイクル数の関数として示している。サイクル中、充電はＣ／４の速度で実
施され、放電は１Ｃの速度で実施される。図４は、可逆容量が９９．５ｍＡｈ／ｇであり
、効率（Ｄ／Ｃ比）が実質的に約９９％に維持されていることを示している。
【００４１】
図５は、材料のラゴン図、すなわち、放電速度の関数としての容量の変動を示す。１０
Ｃの速度で、放出された容量は５３ｍＡｈ／ｇであることを示している。
実施例２
ＬｉＦｅＰＯ４で被覆されたＬｉＭｎＰＯ４粒子
ＬｉＦｅＰＯ４で被覆されたＬｉＭｎＰＯ４粒子の製造については実施例１の手順を繰
り返した。
【００４２】
炭素の付着
ＬｉＦｅＰＯ４で被覆されたＬｉＭｎＰＯ４粒子をラクトースの水中溶液に導入した。
ラクトース／［ＬｉＭｎＰＯ４］ＬｉＦｅＰＯ４比は１／１０であった。次いで、反応媒
体を不活性雰囲気下で、４００℃で１時間の段階とその後の６００℃で３時間の段階を含
む熱処理に付した。最終材料は灰黒色粉末の形態で得られた。
【００４３】
特徴付け
得られた材料の電気化学的性能を実施例１と同様に測定した。図６は、時間の関数とし
ての電位の変化を示す。第一充電の容量が１１６ｍＡｈ／ｇであることを示しており、こ
れは、材料から抽出されたリチウムのレベルｘ＝０．６８２に相当する。
【００４４】
図７は、容量のパーセンテージ（左側の縦座標）及び放電／充電（Ｄ／Ｃ）比（右側の
縦座標）を、サイクル数の関数として示している。サイクル中、充電はＣ／４の速度で実
施され、放電は１Ｃの速度で実施される。図７は、可逆容量が１１９．３ｍＡｈ／ｇであ
り、Ｄ／Ｃ比は実質的に一定のままであることを示している。
【００４５】
図８は、材料のラゴン図、すなわち、放電速度の関数としての容量の変動を示す。１０
Ｃの速度で、放出された容量は６５．５ｍＡｈ／ｇであることを示している。
比較例
ＬｉＭｎ０．６７Ｆｅ０．３３ＰＯ４粒子
比較のために、リン酸塩ＬｉＭＰＯ４の粒子（ＭはＭｎによって部分置換されたＦｅを
表す）を製造し、前記粒子上に、実施例１と同様に炭素ベースの前駆体の炭化によって炭
素コーティングを付着させた。
【００４６】
ＬｉＭｎ０．６７Ｆｅ０．３３ＰＯ４粒子の製造
以下は窒素雰囲気下で製造された。
−溶液Ａ、３０ｍｌの脱塩及び脱気水中に４．６２ｇのＬｉＯＨ・Ｈ２Ｏを溶解；
−溶液Ｆ、５０ｍｌの脱塩及び脱気水中に３．３３ｇのＦｅＳＯ４・７Ｈ２Ｏ、４．０
２ｇのＭｎＳＯ４・Ｈ２Ｏ及び４．７５ｇの（ＮＨ４）２ＨＰＯ４を溶解；
溶液Ａを溶液Ｆに徐々に加えた。溶液Ａを加えると反応媒体の粘度が増大するのが分か
った。測定された最終ｐＨは１０．７である。このようにして得られた反応媒体における
Ｌｉ／Ｍｎ／Ｆｅ／Ｐ比は３／０．６６／０．３３／１である。
【００４７】
その後、反応媒体を、窒素雰囲気下で、加圧可能なステンレススチールチャンバに組み
込まれたＰＴＦＥ容器に注ぎ入れ（Ｐａｒｒ社、容積３２５ｍｌ）、その一式を２２０℃
のオーブンに７時間入れ、次いで周囲温度に冷却した。沈殿粉末をろ過により回収し、１
００ｍｌの蒸留水で３回洗浄した後、窒素雰囲気下９０℃のオーブン中で１２時間乾燥さ
せた。
【００４８】
薄灰色を有する粉末形の化合物６．２ｇをこのようにして得た。Ｘ線回折図を図９に示
す。化合物は斜方晶系構造を示す単相であることを示している。
炭素の付着
前段階で得られた化合物を、酢酸セルロースのアセトン／イソプロパノール（１：１）
混合物中溶液に導入した。アセテート／ＬｉＭｎ０．６７Ｆｅ０．３３ＰＯ４比は１／７
であった。次いで、反応媒体を不活性雰囲気下で、４００℃で１時間の段階とその後の６
００℃で３時間の段階を含む熱処理に付した。最終材料は灰黒色粉末の形態で得られた。
【００４９】
特徴付け
得られた材料の電気化学的性能を実施例１と同様に測定した。
図１０は、時間の関数としての電位の変化を示す。第一充電の容量は５４．５ｍＡｈ／
ｇであることを示しており、これは、材料から抽出されたリチウムのレベルｘ＝０．３２
に相当する。可逆容量は５５．７ｍＡｈ／ｇである。
【００５０】
図１１は、材料のラゴン図を示す。１０Ｃの速度で、放出された容量は２３．３ｍＡｈ
／ｇであることを示している。
このように、類似の全体的組成を有する材料に関して、“ＬｉＦｅＰＯ４で被覆された
ＬｉＭｎＰＯ４核を含む粒子”の形態は、“複合酸化物ＬｉＦｅ１−ｎＭｎｎＰＯ４の粒
子”の形態より顕著に優れた電気化学的性能を示すことが明白である。粒子はどちらの場
合も炭素付着物を有している。
【図１】
0006034842.tif 000002
【図２】
0006034842.tif 000003
【図３】
0006034842.tif 000004
【図４】
0006034842.tif 000005
【図５】
0006034842.tif 000006
【図６】
0006034842.tif 000007
【図７】
0006034842.tif 000008
【図８】
0006034842.tif 000009
【図９】
0006034842.tif 000010
【図１０】
0006034842.tif 000011
【図１１】
0006034842.tif 000012